(57)【要約】      （修正有）【課題】電気刺激装置の電場作用区域を増大させ、使用効果を向上させる配線構造を提供する。【解決手段】配線構造は、中央位置に設ける制御操作区域２００と外側に設けるフラップ区域１１１を含む本体シート１１と、制御ユニット２１を有し、制御操作区域に設ける制御モジュール２０と電極パッチ３１を有し、本体シートのフラップ区域に取り付けられ、導電ケーブル２２を介し電極パッチと電気接続する電極パッチモジュール３０と、を備える。電極パッチが制御ユニットの付近端に回路凹部３３を設け、電気回路を電極パッチ内部に延在して、導電ケーブルの一端が制御ユニットと電気接続し、他端は回路凹部を介し電極パッチ内部に伸び、電極パッチと電気接続する。【選択図】図２
0003227292.tif 000002
【実用新案登録請求の範囲】
【請求項１】
本体シートを有し、中央位置に設ける制御操作区域と外側に設けるフラップ区域とを含む基材本体と、
制御ユニットを有し、前記制御操作区域に設ける制御モジュールと、
電極パッチを有し、前記本体シートの前記フラップ区域に取り付けていて、制御ユニットが導電ケーブルを介し電極パッチと電気接続する電極パッチモジュールと、を備え、
前述構成により、前記電極パッチが前記制御ユニットの一側に回路凹部を設け、前記回路凹部を前記電極パッチ内部に延在していて、前記回路凹部の延在する長さが前記電極パッチの１／３〜２／３であり、前記導電ケーブルの他端が前記回路凹部を介して、前記電極パッチ内部に延在して、前記回路凹部の末端において、前記電極パッチと電気接続することを特徴とする、電気刺激装置に電極増益効果をもたらす配線構造。
【請求項２】
前記回路凹部が前記電極パッチに延在する長さが前記電極パッチ長さの１／２を上回ることを特徴とする、請求項１記載の電気刺激装置に電極増益効果をもたらす配線構造。
【請求項３】
前記本体シートに設けて、前記電極パッチの取り付けに用いる絶縁層をさらに有し、前記電極パッチに複数の絶縁穴を開けられ、前記導電ケーブルと、前記電極パッチに貼り付けて、前記導電ケーブルを覆う絶縁フィルムをさらに有し、前記絶縁フィルムにくり抜き欠き部を有し、前記くり抜き欠き部が前記電極パッチに対応していて、前記電極パッチが前記くり抜き欠き部を通して突き出すことを特徴とする、請求項１記載の電気刺激装置に電極増益効果をもたらす配線構造。
【請求項４】
本体シートを有し、中央位置に設ける制御操作区域と外側に設けるフラップ区域を含む基材本体と、
制御ユニットを有し、前記制御操作区域に設ける制御モジュールと、
電極パッチを有し、前記電極パッチを前記本体シートの前記フラップ区域に設けていて、前記電極パッチが前記制御ユニットの付近端を内部に延在して、２つのギャップ切り欠き部を形成し、前記２つのギャップ切り欠き部の間に導電ケーブルを形成し、前記導電ケーブルが前記電極パッチより突き出す外部セクション回路と、前記電極パッチの２つのギャップ切り欠き部との間に形成する内部セクション回路とを有し、前記外部セクション回路が前記制御ユニットとの接続に提供し、前記内部セクション回路末端の導通部と前記電極パッチの内部と電気導通を形成する電極パッチモジュールとを備えることを特徴とする、電気刺激装置に電極増益効果をもたらす配線構造。
【請求項５】
前記内部セクション回路の延在長さが前記電極パッチ長さの１／３〜２／３であることを特徴とする、請求項４記載の電気刺激装置に電極増益効果をもたらす配線構造。
【請求項６】
前記内部セクション回路の前記電極パッチに延在する長さが前記電極パッチ長さの１／２を上回ることを特徴とする、請求項４記載の電気刺激装置に電極増益効果をもたらす配線構造。
【請求項７】
前記本体シートに設けて、前記電極パッチの取り付けに用いられ、前記電極パッチに複数の絶縁穴を開ける絶縁層と、前記導電ケーブルと前記電極パッチに貼り付けて、前記導電ケーブルを覆う絶縁フィルムとを有し、前記絶縁フィルムにくり抜きかき部を設け、前記くり抜きかき部が電極パッチに対応していて、前記電極パッチが前記くり抜き欠き部を通して突き出すことを特徴とする、請求項４記載の電気刺激装置に電極増益効果をもたらす配線構造。
【考案の詳細な説明】
【技術分野】
【０００１】
本考案は電気刺激装置に関し、特に電気効果区域を増益することができ、かつ、より良い平均場の稼働機能を有する電気刺激装置に電極増益効果をもたらす配線構造に関する。
【背景技術】
【０００２】
電気刺激装置（たとえば、ＴＥＮＳ、ＥＭＳなど）は現在良く使われている保健、治療補助の電子器材であり、低周波は経皮の低周波パルスをもって、筋肉を収縮、運動させる物理効果による物理効果であり、治療や各種疼痛の緩和等によく使用されている。さらに、研究したところ、電気刺激関連器材は蛋白質の生成の増加に使用することができ、スポーツで筋肉生成を要する場合も相当な効果があるとされている。
【０００３】
公知低周波パルス装置に係る技術は図１に示すように、電気刺激装置９０が貼り付けシート体９１を有し、係る貼り付けシート９１が貼付け面９１１を有し、係る貼付け面９１１を体の所定部位に貼り付けて接触し、貼り付けシート体９１が制御ユニット９２を有し、係る制御ユニット９２が導電ケーブル９４を介して、外側の電極パッチ９３に接続される。使用する際、制御ユニット９２（電気供給の電池を内設）が導電ケーブル９４を介して、２つの電極パッチ９３が体に流れる電流と導通し、低周波パルスを発生して、治療効果が得られる。
【考案の概要】
【考案が解決しようとする課題】
【０００４】
前述公知電気刺激装置９０の手段によれば、低周波パルスを用いて体にわずかな刺激を与えて良い効果をもたらすことは可能だが、なお欠点が存在している。一例として、公知電気刺激装置９０の制御ユニット９２が導電ケーブル９４によって、電極パッチ９３の内側に接続されている。換言すれば、制御ユニット９２と、電極パッチ９３との距離が導電ケーブル９４の設置位置となる。しかし、電流特性により抵抗の小さい経路を選択して流れるため、電極パッチ９３と、導電ケーブル９４内側との電気接続によって、発生する電場の有効作用区域９５が小さく形成される。電極パッチ９３全体の作用区域及び効果の発揮は良くなく、理想な設計とは言えない。
【課題を解決するための手段】
【０００５】
本考案の目的は、電気刺激装置に比較的大きい電場の有効作用区域効果をもたせて、よりバランスならび均一に形成することでもって、電気刺激装置の使用効果と実用効果を大きく向上させる。
【０００６】
本考案において、前述目的を達成するために講じる手段は、中央位置に設ける制御操作区域と外側に設けるフラップ区域を含む本体シートと、制御ユニットを有し、制御操作区域に設ける制御モジュールと、電極パッチを有し、本体シートのフラップ区域に取り付けていて、導電ケーブルを介し電極パッチと電気接続する電極パッチモジュールと、を備える。前述構成により、電極パッチが制御ユニットの付近端に回路凹部を設け、電気回路を電極パッチ内部に延在して、導電ケーブルの一端が制御ユニットと電気接続し、導電ケーブルの他端が回路凹部を介し電極パッチ内部に伸ばして、回路凹部の末端部と、電極パッチとを電気接続する。
【０００７】
そのうち、前述構成において、回路凹部の延在長さが電極パッチ長さの１／３〜２／３である。
【０００８】
そのうち、前述構成において、回路凹部が電極パッチに延在する長さは、電極パッチ長さの１／２を上回る。
【０００９】
前述構成は、本体シートに設けていて、電極パッチの取り付けに用いる絶縁層をさらに有し、電極パッチに複数の絶縁穴を設けられている。
【００１０】
前述構成において、導電ケーブルと、電極パッチに貼り付けていて、導電ケーブルを覆う絶縁フィルムをさらに有する。係る絶縁フィルムにくり抜き欠き部を有し、くり抜き欠き部が電極パッチに対応していて、電極パッチがくり抜き欠き部を通して突き出す。
【００１１】
前述構成において、それぞれ制御操作区域の外側に位置する２つの電極パッチを含む。
【００１２】
本考案の電気刺激装置に電極増益効果をもたらす配線構造に関わる技術手段は、中央位置に設ける操作区域と、外側に設けるフラップ区域とを有し、制御ユニットを含む基材本体と、本体シートのフラップ区域に設けていて、制御ユニットの付近端を内部に延在して、２つのギャップ切り欠き部を形成し、２つのギャップ切り欠き部が導電ケーブルを形成して、導電ケーブルに電極パッチより突き出す外部セクション回路と、電極パッチの２つのギャップ切り欠き部との間に形成する内部セクション回路とを有し、外部セクション回路を制御ユニットとの接続に提供し、内部セクション回路末端の導通部と電極パッチの内部と電気導通を形成する電極パッチモジュールと、を備える。
【００１３】
そのうち、前述構成において、内部セクション回路に延在する長さが電極パッチ長さの１／３〜２／３である。
【００１４】
そのうち、前述構成において、内部セクション回路が電極パッチに延在する長さが電極パッチ長さの１／２を上回る。
【００１５】
前述構成は、本体シートに設けていて、電極パッチの取り付けに用いる絶縁層がさらに有し、電極パッチに複数の絶縁穴を設けられている。
【００１６】
前述構成において、導電ケーブルと、電極パッチに貼り付けていて、導電ケーブルを覆う絶縁フィルムがさらに有する。係る絶縁フィルムにくり抜き欠き部を有し、くり抜き欠き部が電極パッチに対応していて、電極パッチがくり抜き欠き部を通して突き出す。
【００１７】
前述構成において、それぞれ制御操作区域の外側に位置する２つの電極パッチを含む。
【００１８】
前述構成において、電極パッチと、導電ケーブルが導電部材を用いて、絶縁層に転写または塗布して形成される。
【図面の簡単な説明】
【００１９】
【図１】公知電気刺激装置の構造を示す図である。
【図２】本考案の構造を示す図である。
【図２Ａ】本考案の基材本体の構造分解図である。
【図３】本考案の局所断面視図である。
【図４】本考案の貼り付け応用図である。
【考案を実施するための形態】
【００２０】
審査官が本案の技術特徴及び達成する効果のさらなる理解及び認識を図るため、好ましい実施態様図と合わせて、以下のとおり詳細説明する。
【００２１】
〔実施例〕
図２、本考案の電気刺激装置に電極増益効果をもたらす配線構造を参照する。本考案で開示する電気刺激装置１は、基材本体１０と、制御モジュール２０と、電極パッチモジュール３０とを含む。基材本体１０が本体シート１１を有し、本体シート１１はたとえば、比較的良い可撓性と快適度を有したシリコン部材から仕上げることができる。ただし、この限りではない。本体シート１１の中央区域に制御操作区域２００と、係る制御操作区域２００外部のフラップ区域１１１とを有し、制御操作区域２００が制御モジュール２０に用いられる。フラップ区域１１１は電極パッチモジュール３０の取り付けに用いられる。本体シート１１の両面に、電極パッチモジュール３０の貼付け面１１２の識別に用いられ、使用する際電極パッチモジュール３０を体に向かわせて貼り付ける。
【００２２】
制御モジュール２０が本体シート１１の中央区域の制御操作区域２００に取り付けていて、制御モジュール２０が制御ユニット２１を有し、制御ユニット２１が電気回路版と、制御チップ（図示しない）等を設けられている。これらは公知技術の範疇であるため、ここでの説明を省略する。制御ユニット２１が導電ケーブル２２を用いて、電極パッチモジュール３０に接続し、導電ケーブル２２が概ね帯状シート体を形成する。電極パッチモジュール３０が制御ユニット２１と、制御モジュール２０（制御操作区域２００）外側の電極パッチ３１とを含む。この実施例において、２つの電極パッチ３１を例示するが、枚数は限られていない。２つの電極パッチ３１を本体シート１１のフラップ区域１１１に設けていて、かつ、貼り付け裏面１１２より露出されている。電極パッチ３１が導電ケーブル２２を介して制御ユニット２１（制御モジュール２０）と電気導通し、電極パッチ３１が制御ユニット２１の付近端に回路凹部３３を有し、回路凹部３３を電極パッチ３１内部に延在して、電極パッチ３１を有しない区域空間を形成して、導電ケーブル２２の取り付けに用いられる。すなわち、導電ケーブル２２が回路凹部３３に延在して、電極パッチ３１との電気導通に用いる。回路凹部３３の構成形態は、実際の需要に応じて、適宜に実施することができ、この限りではない。回路凹部３３の延在長さ（図Ｌに示す）がおよそ電極パッチ３１長さの１／３〜２／３である。好ましくは、係る電極パッチ３１のおよそ１／２場所、または回路凹部３３の延在長さが電極パッチ３１長さの１／２（すなわち、電極パッチ３１長さの１／２を上回る）が良い。回路凹部３３の設計により、導電ケーブル２２を電極パッチ３１の内部に延在して電気導通させ、電場有効作用区域３００（図４を参照）を形成して、電極パッチ３１大きさの面積に引き上げられる。電極パッチ３１に複数の絶縁穴３２を設けられ、絶縁穴３２は導電効果のない区域である。これにより、導電ケーブル２２と、電極パッチ片３１との導電効果によって、バランス取られた配置の作用効果が形成される。
【００２３】
図２Ａと、図３をあわせて参照する。電極パッチモジュール３０の詳細構造を説明する。電極パッチモジュール３０が絶縁層３４をさらに含む。絶縁層３４が本体シート１１に取り付けられ、絶縁層３４は電極パッチ３１の取り付けに用いられる。電極パッチ３１は導電部材、たとえば銅箔シート、アルミ箔シートまたは導電性グラファイトなどによって形成することができる。この実施例において、電極パッチ３１は導電性部材（導電性グラファイト）を絶縁層３４に転写または塗布して形成する。図２Ａに示すように、電極パッチ３１はたとえば、絶縁層３４において、金型（図示しない）を用いて導電性部材を転写または塗布して形成することができる。係る金型において、複数の絶縁穴３２（導電性部材を転写または塗布していない区域）を合わせて形成する設計して、導電ケーブル２２を電極パッチ３１内部に延在して導電接続し、さらに、電極パッチ３１に複数の絶縁穴３２を取り付けることによって、電極パッチ３１が体に発生する電流伝導作用区域をより幅広く、かつ、より均一にすることができる。
【００２４】
本考案の主な技術特徴は、導電ケーブル２２が回路凹部３３を介して電極パッチ３１内部に延在させて導電接続しているが、もし、前述した導電性部材の転写または塗布して形成する実施方法を適用する場合は、合わせて絶縁層３４を転写または塗布して導電ケーブル２２と、電極パッチ３１とを一体して接続し、導電ケーブル２２を帯状に形成しても良い。この場合において、この実施例は、電極パッチ３１の一側を内部に延在して、分離した２つのギャップ切り欠き部２２１を形成する。２つのギャップ切り欠き部２２１の間に導電ケーブル２２を形成し、導電ケーブル２２に電極パッチ３１より突き出す外部セクション回路２２Ａと、電極パッチ３１の２つのギャップ切り欠き部２２１の間に位置する内部セクション回路２２Ｂとを有し、外部セクション回路２２Ａが制御ユニット２１との電気接続に用いられ、内部セクション回路２２Ｂ末端部の導電部２２２と、電極パッチ３１の内部と電気導通を形成する。係る内部セクション回路２２Ｂと、前述した回路凹部３３が電極パッチ３１への延在長さについて説明すると、内部セクション回路２２Ｂの電極パッチ３１への延在長さがおよそ電極パッチ３１長さの１／３〜２／３であり、好ましくは、係る電極パッチ３１長さのおよそ１／２場所（図示のＬ）または内部セクション回路２２Ｂの延在長さが電極パッチ３１長さの１／２（すなわち、電極パッチ３１長さの１／２を上回る）が良い。
【００２５】
さらに、電極パッチモジュール３０が絶縁フィルム３５（または絶縁塗布層）をさらに含む、絶縁フィルム３５を導電ケーブル２２と、電極パッチ３１に設けて、導電ケーブル２２を覆っていて、すなわち、導電ケーブル２２が絶縁層３４（または本体シート１１）と、絶縁フィルム３５との間に位置させて、導電ケーブル２２を絶縁フィルム３５に覆わせて置き、外部とを隔離する。係る絶縁フィルム３５にくり抜き欠き部３５１を設けられ、くり抜き欠き部３５１が電極パッチ３１に対応していて、絶縁フィルム３５を導電ケーブル２２と、電極パッチ３１に貼り付けた後、電極パッチ３１がくり抜き欠き部３５１を通して露出し、電気刺激操作できる。
【００２６】
前述構成において、導電ケーブル２２の一端が制御ユニット２１（制御モジュール２０）とを電気導通し、導電ケーブル２２の他端が回路凹部３３より電極パッチ３１に進入するか、または２つのギャップ切り欠き部２２１の間より電極パッチ３１に進入し、回路凹部３３の末端部または導電部２２２場所において、電極パッチ３１と電気導通する。このように、前述した電流特性により、電極パッチ３１と、導電ケーブル２２と電気導通するとこによって発生する電場有効作用区域３００（図４参照）が電極パッチ３１全体区域の面積に行き渡って、電極パッチ３１全体の作用効果区域３００が大きく向上できる。
【００２７】
図４を合わせて参照する。本考案の電電気刺激装置に電極増益効果をもたらす配線構造を適用する際、電気刺激装置１の中心部を体１００のへそ部１０１少し上の腹部位置に貼り付けて、低周波パルスの保健操作を行う。図４に示す応用例は、本考案の一使用態様に過ぎず、使用する際、体の部位または方式については、この限りではない。
【００２８】
以上の具体的な実施例を用いて本考案を詳細説明しているが、本考案は、以上に取り上げた実施例に限らず、本考案の技術構想範囲に基づいて、それらの構造に対する変化および修飾もなお本考案の請求範疇に含めるものとする。
【符号の説明】
【００２９】
１  電気刺激装置
１０  基材本体
１１  本体シート
１１１  フラップ区域
１１２  貼付け面
２０  制御モジュール
２００  制御操作区域
２１  制御ユニット
２２  導電ケーブル
２２Ａ  外部セクション回路
２２Ｂ  内部セクション回路
２２１  ギャップ切り欠き部
２２２  導電部
３０  電極パッチモジュール
３１  電極パッチ
３２  絶縁孔部
３３  回路凹部
３５  絶縁フィルム
３５１  くり抜き切り欠き部
３００  電場有効作用区域
１００  体
１０１  へそ部
【図１】
0003227292.tif 000003
【図２】
0003227292.tif 000004
【図２Ａ】
0003227292.tif 000005
【図３】
0003227292.tif 000006
【図４】
0003227292.tif 000007